【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
所定の一方向に時間軸、前記所定の一方向と直交する方向にチャンネル軸をとり、複数のチャンネルで放送される番組の情報を、それぞれの番組の放送時間に応じた位置に表示させている状態で表示を切り替えることが指示されたとき、
前記所定の一方向と同じ方向に時間軸をとり、注目する１つのチャンネルで放送される番組の情報を、それぞれの番組の放送時間に応じた位置に表示させるとともに、前記所定の一方向と直交する方向のユーザ操作に応じて、注目するチャンネルを切り替えて番組の情報を表示させる表示制御手段を備える
ことを特徴とする表示制御装置。
【請求項２】
前記表示制御手段は、さらに、注目する１つのチャンネルとは異なる他のチャンネルで放送される番組の放送時間を表す枠を、それぞれの番組の放送時間に応じた位置に表示させる
ことを特徴とする請求項１に記載の表示制御装置。
【請求項３】
前記表示制御手段は、前記注目する１つのチャンネルとは異なる他のチャンネルで放送される番組の放送時間を表す枠内に、その番組の情報を表示させる
ことを特徴とする請求項２に記載の表示制御装置。
【請求項４】
前記表示制御手段は、前記注目する１つのチャンネルとは異なる他のチャンネルで放送される番組の放送時間を表す枠内に表示される情報を、前記注目する１つのチャンネルで放送される番組の情報の表示より小さいサイズで表示させる
ことを特徴とする請求項３に記載の表示制御装置。
【請求項５】
前記表示制御手段は、前記注目する１つのチャンネルで放送される番組の情報を表示する際、前記注目する１つのチャンネルとは異なる他のチャンネルで放送される番組より広い範囲を割り当てて表示させる
ことを特徴とする請求項２に記載の表示制御装置。
【請求項６】
前記表示制御手段は、さらに、注目する１つの番組に関する詳細情報を、所定の位置に表示させる
ことを特徴とする請求項１に記載の表示制御装置。
【請求項７】
前記表示制御手段は、さらに、前記番組の情報が表示される直前に視聴されていた番組を、所定の位置に表示させる
ことを特徴とする請求項１に記載の表示制御装置。
【請求項８】
前記番組の情報は、前記番組に関する画像を含む
ことを特徴とする請求項１に記載の表示制御装置。
【請求項９】
前記注目する１つのチャンネルで放送される番組は、カーソルでフォーカスされている番組である
ことを特徴とする請求項１に記載の表示制御装置。
【請求項１０】
前記表示を切り替えることが指示されたとき、直前に表示された番組情報でフォーカスされていた番組がそのままフォーカスされて表示される
ことを特徴とする請求項９に記載の表示制御装置。
【請求項１１】
前記注目する１つのチャンネルで放送される番組は、色が付されている番組である
ことを特徴とする請求項１に記載の表示制御装置。
【請求項１２】
所定の一方向に時間軸、前記所定の一方向と直交する方向にチャンネル軸をとり、前記複数のチャンネルで放送される番組の情報を、それぞれの番組の放送時間に応じた位置に表示させている状態で表示を切り替えることが指示されたとき、
前記所定の一方向と同じ方向に時間軸をとり、注目する１つのチャンネルで放送される番組の情報を、それぞれの番組の放送時間に応じた位置に表示させるとともに、前記所定の一方向と直交する方向のユーザ操作に応じて、注目するチャンネルを切り替えて番組の情報を表示させる表示制御ステップを含む
ことを特徴とする表示制御方法。
【請求項１３】
所定の一方向に時間軸、前記所定の一方向と直交する方向にチャンネル軸をとり、前記複数のチャンネルで放送される番組の情報を、それぞれの番組の放送時間に応じた位置に表示させている状態で表示を切り替えることが指示されたとき、
前記所定の一方向と同じ方向に時間軸をとり、注目する１つのチャンネルで放送される番組の情報を、それぞれの番組の放送時間に応じた位置に表示させるとともに、前記所定の一方向と直交する方向のユーザ操作に応じて、注目するチャンネルを切り替えて番組の情報を表示させる表示制御ステップを含む
処理をコンピュータに実行させることを特徴とするプログラム。
【手続補正２】
【補正対象書類名】明細書
【補正対象項目名】０００３
【補正方法】変更
【補正の内容】
【０００３】
例えば、非特許文献１にも示されるように、時刻別の番組表では時間軸が横方向にとられており、チャンネル別の番組表では時間軸が縦方向にとられている。
【非特許文献１】「ハードディスク搭載DVDレコーダ『スゴ録』  電子番組表（EPG）／番組追跡録画」＜http://www.sony.jp/products/Consumer/dvdrecorder/products/rdr_hx100_hx90.html＞
【手続補正３】
【補正対象書類名】明細書
【補正対象項目名】０００７
【補正方法】変更
【補正の内容】
【０００７】
表示制御手段は、さらに、注目する１つのチャンネルとは異なる他のチャンネルで放送される番組の放送時間を表す枠を、それぞれの番組の放送時間に応じた位置に表示させるようにしたり、注目する１つの番組に関する詳細情報を、所定の位置に表示させるようにしたり、あるいは、番組の情報が表示される直前に視聴されていた番組を、所定の位置に表示させるようにすることができる。
表示制御手段には、注目する１つのチャンネルとは異なる他のチャンネルで放送される番組の放送時間を表す枠内に、その番組の情報を表示させることができる。
表示制御手段には、注目する１つのチャンネルとは異なる他のチャンネルで放送される番組の放送時間を表す枠内に表示される情報を、注目する１つのチャンネルで放送される番組の情報の表示より小さいサイズで表示させることができる。
表示制御手段には、注目する１つのチャンネルで放送される番組の情報を表示する際、注目する１つのチャンネルとは異なる他のチャンネルで放送される番組より広い範囲を割り当てて表示させることができる。
【手続補正４】
【補正対象書類名】明細書
【補正対象項目名】０００８
【補正方法】変更
【補正の内容】
【０００８】
番組の情報には、番組に関する画像を含むようにすることができる。
注目する１つのチャンネルで放送される番組は、カーソルでフォーカスされている番組であるようにすることができる。
表示を切り替えることが指示されたとき、直前に表示された番組情報でフォーカスされていた番組がそのままフォーカスされて表示されるようにすることができる。
注目する１つのチャンネルで放送される番組は、色が付されている番組であるようにすることができる。
【手続補正５】
【補正対象書類名】明細書
【補正対象項目名】００１５
【補正方法】変更
【補正の内容】
【００１５】
請求項６に記載の表示制御装置の表示制御手段は、さらに、注目する１つの番組に関する詳細情報を、所定の位置（例えば、図３の詳細情報表示エリア３４）に表示させることを特徴とする。
【手続補正６】
【補正対象書類名】明細書
【補正対象項目名】００１６
【補正方法】変更
【補正の内容】
【００１６】
請求項７に記載の表示制御装置の表示制御手段は、さらに、番組の情報が表示される直前に視聴されていた番組を、所定の位置（例えば、図３の視聴エリア３５）に表示させることを特徴とする。
【手続補正７】
【補正対象書類名】明細書
【補正対象項目名】００１７
【補正方法】変更
【補正の内容】
【００１７】
請求項１２に記載の表示制御方法は、所定の一方向に時間軸、所定の一方向と直交する方向にチャンネル軸をとり、複数のチャンネルで放送される番組の情報を、それぞれの番組の放送時間に応じた位置に表示させている状態で表示を切り替えることが指示されたとき、所定の一方向と同じ方向に時間軸をとり、注目する１つのチャンネルで放送される番組の情報を、それぞれの番組の放送時間に応じた位置に表示させるとともに、所定の一方向と直交する方向のユーザ操作に応じて、注目するチャンネルを切り替えて番組の情報を表示させる表示制御ステップ（例えば、図８のステップＳ８）を含むことを特徴とする。
【手続補正８】
【補正対象書類名】明細書
【補正対象項目名】００１８
【補正方法】変更
【補正の内容】
【００１８】
なお、請求項１３に記載のプログラムにおいても、各ステップが対応する実施の形態（但し一例）は、請求項１２に記載の表示制御方法と同様である。